(57)【要約】【課題】液体の滴下に起因した誤作動を招来することなく、ケース上部の汚損を防止すること。【解決手段】ケース１７によって覆われた駆動源５１と、駆動源５１によって移動するアーム部材５３とを備え、飲料を注出する間に、ケース１７に対してアーム部材５３を進退する方向に移動することによって容器を傾斜させるようにした飲料ディスペンサにおいて、ケース１７の正面１７ｆに設けたスリット１９からアーム部材５３を突出させ、かつ左側面１７ｃに向けて低くなるように上面１７ａを傾斜させている。【選択図】        図５
2006062725.tif 000002
【特許請求の範囲】
【請求項１】
ケースによって覆われた駆動源と、駆動源によって移動するアーム部材とを備え、飲料を注出する間に、ケースに対してアーム部材を進退する方向に移動することによって容器を傾斜させるようにした飲料ディスペンサにおいて、
ケースの上部に、アーム部材が進退する個所の上方領域外となる部位に向かって低くなるガイド部を設けたことを特徴とする飲料ディスペンサ。
【請求項２】
ケースによって覆われた駆動源と、駆動源によって移動するアーム部材とを備え、飲料を注出する間に、ケースに対してアーム部材を進退する方向に移動することによって容器を傾斜させるようにした飲料ディスペンサにおいて、
ケースの上部に液体を案内するためのガイド部を設け、かつアーム部材の長さ方向の途中に鍔部を形成したことを特徴とする飲料ディスペンサ。
【請求項３】
アーム部材から駆動源に至る間に、駆動源の上方を覆うカバーを配設したことを特徴とする請求項１または２に記載の飲料ディスペンサ。
【請求項４】
駆動源の上方を覆うカバーと、駆動源を取り付けるためのブラケットとを一体に形成したことを特徴とする請求項１〜３のいずれか一つに記載の飲料ディスペンサ。
【発明の詳細な説明】
【技術分野】
【０００１】
本発明は、飲料ディスペンサに関するものである。
【背景技術】
【０００２】
従来より、ビール等の発泡性飲料を注出する飲料ディスペンサの中には、過剰な泡立ちを抑えるべく飲料を注出している間に容器を傾斜させるようにしたものがある。さらに、容器を傾斜させる機構、例えばモータ等の駆動源に、発泡性飲料及び洗浄水等の液体がかかることを防止するために、駆動源を覆う箱状のケースを備えたものがある。
【０００３】
このような飲料ディスペンサは、ディスペンサ本体に、容器載置台及びアーム部材を備えている。容器載置台は、側面視が略Ｌ字状となるように構成されたものであり、背板の上部に設けた傾動軸を介してケースに傾動可能に配設されている。アーム部材は、ケースの内部で駆動源の上方に配設してあり、駆動源によって揺動軸を中心に揺動し、ケースの正面から突出させた先端部を介して容器載置台を押圧することにより、容器載置台を介して容器を傾斜させるためのものである。
【０００４】
この飲料ディスペンサでは、アーム部材を駆動源によって揺動軸を中心に揺動し、ケースに対してアーム部材を進退する方向に移動することで、アーム部材の先端を容器載置台の背板に適宜押圧させることによって容器載置台を傾動させることができる。従って、例えば飲料を注出する初期の間には容器を比較的大きく傾斜させる一方、飲料の注出に伴って漸次傾斜角度を小さくし、注出の終了間際にほぼ直立となるように容器載置台の傾動状態を変化させれば、注出する飲料が容器の側面に当たることになり、飲料が過剰に泡立つことを防止することができる。
【０００５】
このような飲料ディスペンサでは、ケースの上面を、ケースの正面に向かって低くなる態様で形成しており、ケースの上面に降り掛かった飲料や洗浄液等の液体が滞留することに起因したケースの汚損を防止するようにしている（例えば、特許文献１参照）。
【０００６】
【特許文献１】特開２００１−２６１０９８号公報
【発明の開示】
【発明が解決しようとする課題】
【０００７】
しかしながら、そのような飲料ディスペンサにおいては、ケースの上面に降り掛かった液体が、ケースの正面側に流れ落ちるため、揺動しているアーム部材を伝ってケースの内部に浸入し、駆動源に滴下する虞れがある。駆動源に液体が滴下した場合には、その動作を保証することが困難となり、駆動源の誤作動を招来する虞れがある。
【０００８】
本発明は、上記実情に鑑みて、液体の滴下に起因した誤作動を招来することなく、ケース上部の汚損を防止することができる飲料ディスペンサを提供することを目的とする。
【課題を解決するための手段】
【０００９】
上記の目的を達成するために、本発明の請求項１に係る飲料ディスペンサは、ケースによって覆われた駆動源と、駆動源によって移動するアーム部材とを備え、飲料を注出する間に、ケースに対してアーム部材を進退する方向に移動することによって容器を傾斜させるようにした飲料ディスペンサにおいて、ケースの上部に、アーム部材が進退する個所の上方領域外となる部位に向かって低くなるガイド部を設けたことを特徴とする。
【００１０】
また、本発明の請求項２に係る飲料ディスペンサは、ケースによって覆われた駆動源と、駆動源によって移動するアーム部材とを備え、飲料を注出する間に、ケースに対してアーム部材を進退する方向に移動することによって容器を傾斜させるようにした飲料ディスペンサにおいて、ケースの上部に液体を案内するためのガイド部を設け、かつアーム部材の長さ方向の途中に鍔部を形成したことを特徴とする。
【００１１】
また、本発明の請求項３に係る飲料ディスペンサは、上述した請求項１または２において、アーム部材から駆動源に至る間に、駆動源の上方を覆うカバーを配設したことを特徴とする。
【００１２】
また、本発明の請求項４に係る飲料ディスペンサは、上述した請求項１〜３のいずれか一つにおいて、駆動源の上方を覆うカバーと、駆動源を取り付けるためのブラケットとを一体に形成したことを特徴とする。
【発明の効果】
【００１３】
本発明の請求項１に係る飲料ディスペンサによれば、ケースの上部に、アーム部材が進退する個所の上方領域外となる部位に向かって低くなるガイド部を設けているので、ケースの上面にかかった液体が、アーム部材が進退する個所に流れ落ちる虞れがない。従って、アーム部材を伝って駆動源の上に液体が滴下することを防止できるので、ケース上部の汚損及び駆動源の誤作動を招来することがない。
【００１４】
また、本発明の請求項２に係る飲料ディスペンサによれば、ケースの上部に液体を案内するためのガイド部を設けているため、ケース上部の汚損を防止することができる。しかも、アーム部材の長さ方向の途中に鍔部を形成しているため、アーム部材に直接液体が降り掛かった場合でも、鍔部によってアーム部材を伝って流れる液体をせき止めることが可能となり、アーム部材を伝って液体が駆動源に滴下することを防止し、その誤作動を招来することがない。
【発明を実施するための最良の形態】
【００１５】
以下に添付図面を参照して、本発明に係る飲料ディスペンサの好適な実施の形態を詳細に説明する。
【００１６】
図１は、本発明の実施の形態である飲料ディスペンサを示す概略側断面図である。ここで例示する飲料ディスペンサは、飲料として発泡性飲料であるビールや発泡酒を提供するもので、飲料樽３１及びガスボンベ３３を接続して用いる。飲料樽３１は、例えば内部にビールを充填したもので、バルブ手段３６及び飲料供給通路３２を介して後述の飲料配管２３に接続してある。ガスボンベ３３は、内部に炭酸ガスを封入したもので、ガス供給通路３４，３５及び図示せぬ調圧手段を通過した後、バルブ手段３６を介して飲料樽３１に接続してある。バルブ手段３６は、いわゆるディスペンスヘッドと称されるもので、例えば注出モードになった場合、ガスボンベ３３に封入してある炭酸ガスを飲料樽３１の内部に送り込み、内部圧力を増加させることによって飲料樽３１に充填してあるビールを飲料配管２３の内部に送り込むように機能する。
【００１７】
図１に示すように、この飲料ディスペンサは、ディスペンサ本体１０を備えている。ディスペンサ本体１０は、複数の外装パネル１５によって箱状に構成したもので、下部に機械室１１を備える一方、上部に冷却室２０を備えている。
【００１８】
機械室１１は、その内部にコンプレッサ１２、熱交換器１３及び送風機１４を収容するためのものである。これらコンプレッサ１２、熱交換器１３及び送風機１４は、後述する冷媒配管２２をエバポレータとした冷却ユニット（冷凍サイクル）１６を構成するものである。
【００１９】
冷却室２０は、内部に断熱空間を備えている。断熱空間は、外装パネル１５の内側に断熱部材２１を配設することによって構成したものである。断熱空間の内部には、冷却水２５が貯留してあり、さらにこの冷却水２５に浸漬するように冷媒配管２２及び飲料配管２３をそれぞれコイル状に配設してある。断熱空間の冷却水２５は、アジテータ２４によって適宜攪拌された状態となる。
【００２０】
ディスペンサ本体１０には、外装パネル１５から突出する態様で飲料注出手段４１を設けてある。飲料注出手段４１は、注出バルブ４２とバルブ駆動手段４３とを備えて構成したものである。注出バルブ４２は、飲料注出口４２ｂと泡注出口４２ｃとを有し、注出レバー４２ｄを傾倒操作することにより、飲料注入口４２ａを経て供給された飲料配管２３の飲料を飲料注出口４２ｂもしくは泡注出口４２ｃから注出するものである。バルブ駆動手段４３は、図示せぬアクチュエータによって注出レバー４２ｄを傾倒操作することにより、飲料注出口４２ｂからの飲料の注出、あるいは泡注出口４２ｃからの泡の注出を行うものである。
【００２１】
飲料注出手段４１の下方には、図２及び図３に示すように、外装パネル１５の前面に箱状のケース１７が配設してある。ケース１７は、図４及び図５に示すように、その内部に駆動源５１を備える駆動ユニット５０を収容するためのものである。駆動ユニット５０は、後述する容器載置台６０を傾動させるためのもので、駆動源５１の他に、駆動源５１の駆動を伝達する機能と、駆動源５１を外装パネル１５に取り付けるブラケットとしての機能とを有する駆動伝達部材５４、駆動伝達部材５４を介して駆動源５１によって駆動される出力軸５１ａ及び出力軸５１ａに固着したアーム部材５３を備えて構成してあり、出力軸５１ａがほぼ水平となる態様でブラケット（カバー）５２を介して外装パネル１５に取り付けてある。
【００２２】
ブラケット５２は、図８及び図９に示すように、背板５２ａと側板５２ｂと上板５２ｃと下板５２ｄとを有する態様で形成してある。背板５２ａは、平板状に形成してある。側板５２ｂは、図８に示す背板５２ａの左側部から前方に向けて直角方向に突出する態様で配設してあり、切欠７０ｃを有する。下板５２ｄは、背板５２ａの下部から前方に向けて図９中左斜め下方向に突出する態様で配設してある。下板５２ｄの両側部には、下板５２ｄから図９中左斜め上方向に向けて直角方向に突出する折曲突出部７２がそれぞれ形成してあり、下板５２ｄの先端には、下板５２ｄから図９中下方向に向けて突出する折曲突出部７３が形成してある。この飲料ディスペンサでは、図１０に示すように、ブラケット５２の切欠７０ｃに出力軸５１ａを入れ、側板５２ｂに、ブラケットでもある駆動伝達部材を介して駆動源５１を取り付けて、アーム部材５３から駆動源５１に至る間に、駆動源５１の上方を覆うカバーである下板５２ｄを配設してある。
【００２３】
アーム部材５３は、出力軸５１ａに直交する方向に沿って延在する平板状を成すもので、その先端部がケース１７に形成したスリット１９を通じて外部に突出している。アーム部材５３の先端部には、ガイドローラ５５が回転可能に支持させてある。
【００２４】
アーム部材５３には、図４及び図５に示すように、アーム部材５３の長さ方向の途中、例えば基端近傍に鍔部５３ａを形成してある。鍔部５３ａは、アーム部材５３の長さ方向に対して直角方向に突出する態様で、かつ長さ方向の一部の周囲を覆う態様で形成してある。
【００２５】
一方、ケース１７には、上面１７ａの正面側に設けた腕部５６を介して容器載置台６０が取り付けてある。容器載置台６０は、飲料注出口４２ｂから注出する飲料を受容するための紙コップ、グラス、ジョッキなどの容器Ｇを載置するもので、図２及び図３に示すように、背板６０ｂ、側板６０ｃ，６０ｄ及び載置板６０ｇで構成してある。背板６０ｂと側板６０ｃ，６０ｄとは、横断面が略コ字状で縦長に形成し、容器Ｇの周囲の一部を囲む態様で配設してある。また、載置板６０ｇは、側板６０ｃ，６０ｄの下部に取り付けてあり、背板６０ｂの下部から前方に向けて直角方向に突出する態様で配設してある。
【００２６】
背板６０ｂの上部には、傾動ピン６１を挿通させた傾動筒部６０ａが形成してある。容器載置台６０は、この傾動筒部６０ａの傾動ピン６１を腕部５６の傾動孔５６ａに挿通させることにより、傾動ピン６１を中心に水平軸回りに傾動可能な状態で腕部５６に取り付けてある。
【００２７】
背板６０ｂの一方の面には、容器Ｇの側面の一部が接触する容器受部６０ｅが配設してあり、背板６０ｂの他方の面には、ガイドローラ５５が接触するストッパ部６０ｆが配設してある。側板６０ｃ，６０ｄには、容器Ｇの大きさに対応して載置板６０ｇの上下方向の位置を変更するための複数の取付孔６０ｈが上下方向に沿って２列に配設してある。
【００２８】
上記のように構成した容器載置台６０は、上述した駆動ユニット５０の駆動によって傾動し、載置板６０ｇに載置させた容器Ｇを傾斜させる。すなわち、駆動ユニット５０が初期状態にある場合、アーム部材５３は、図４及び図６に示すように、下方に向けて漸次外装パネル１５から離隔する態様で傾斜配置される。この場合、容器載置台６０は、背板６０ｂがほぼ垂直となる状態に維持されることになり、載置板６０ｇに載置させた容器Ｇもほぼ直立した状態となる。
【００２９】
この状態から駆動ユニット５０の駆動源５１が駆動すると、アーム部材５３が、図４及び図６において出力軸５１ａを中心として予め設定した角度だけ時計回りに揺動し、図７に示すように、上昇位置に至る。アーム部材５３が初期状態から上昇位置に至る間、ガイドローラ５５によって押圧される容器載置台６０は、傾動ピン６１を中心として載置板６０ｇが上方に向かうように傾動することになり、載置板６０ｇに載置させた容器Ｇが傾斜配置されることになる。従って、この状態から容器Ｇに対して飲料の注出を行えば、注出する飲料が容器Ｇの側面に当たることになり、飲料が過剰に泡立つことを防止することができるようになる。
【００３０】
その後、駆動ユニット５０の駆動源５１を逆方向に駆動すると、アーム部材５３は、出力軸５１ａを中心として反時計回りに揺動し、再び図４及び図６に示した初期状態に復帰することになる。
【００３１】
ところで、上述した飲料ディスペンサにおいては、ケース１７の上面１７ａに降り掛かった液体、例えばビールや洗浄液がスリット１９の上方領域から流れ落ちると、そのままアーム部材５３に滴下することになる。アーム部材５３に滴下した液体は、例えばアーム部材５３の基端よりも先端が高い姿勢となった場合、アーム部材５３を伝ってケース１７の内部に浸入し、駆動源５１に滴下する虞れがある。
【００３２】
そこで、この実施の形態の飲料ディスペンサでは、図５に示す正面１７ｆ、右側面１７ｂ、左側面１７ｃがあるケース１７において、上面１７ａの全体を、スリット１９がある正面１７ｆではなく、左側面１７ｃに向かって低くなるように傾斜させている。このように傾斜配置した上面１７ａ（ガイド部）に降り掛かった液体は、左側面１７ｃに向かって流れ、正面１７ｆに流れることがない。従って、この飲料ディスペンサによれば、上面１７ａに降り掛かった液体がアーム部材５３を伝ってケース１７の内部に浸入する事態を防止することが可能となり、駆動源５１が誤作動する事態、並びに上面１７ａが汚損する事態を招来する虞れがない。
【００３３】
さらに、この飲料ディスペンサは、アーム部材５３の長さ方向の途中に鍔部５３ａを形成しているので、アーム部材５３を揺動している間、例えば図７に示すように、アーム部材５３が上昇位置にある場合、アーム部材５３に直接飲料がかかった場合でも、鍔部５３ａによって、アーム部材５３を伝って流れる液体をせき止めることができる。従って、この飲料ディスペンサは、アーム部材５３を伝って液体が駆動源５１の上に滴下することを防止できるので、駆動源５１の内部に液体が浸入することがなく、駆動源５１が誤作動する事態を招来することがない。
【００３４】
またさらに、この実施の形態における飲料ディスペンサは、アーム部材５３から駆動源５１に至る間に、駆動源５１の上方を覆うカバーと、駆動源５１をディスペンサ本体１０に取り付けるためのブラケットとを一体に形成したブラケット５２を配設してあるので、万一、アーム部材５３の鍔部５３ａから液体が滴下した場合でも、図１０に示すように、鍔部５３ａから滴下した液体が、ブラケット５２の下板５２ｄの上に落下する。下板５２ｄの上に落下した液体は、折曲突出部７２によって下板５２ｄの側部から流れ落ちることを防止しつつ、傾斜した下板５２ｄの上を流れ、折曲突出部７３より下方に向けて流れ落ちる。従って、この飲料ディスペンサは、アーム部材５３を伝って液体が駆動源５１の上に落下することを防止できるから、駆動源５１が誤作動する事態を招来することがない。
【００３５】
また、この実施の形態では、ブラケット５２の切欠７０ｃに出力軸５１ａを入れ、ブラケット５２の側板５２ｂによって、出力軸５１ａにおけるアーム部材５３を固着した個所と、駆動伝達部材５４とを仕切っている。したがって、この飲料ディスペンサは、ブラケット５２の側板５２ｂによって、液体がアーム部材５３を伝い、駆動伝達部材５４の内部に浸入することがない。
【００３６】
なお、この実施の形態では、ケース１７の上面１７ａに、アーム部材５３が進退する個所の上方領域外に向かって低くなるガイド部を設けている態様として、正面１７ｆのスリット１９を通じてアーム部材５３を突出させた場合に、図５中、上面１７ａの全体を左側面１７ｃに向かって低く傾斜させた例を示した。しかし、この発明のガイド部は、それに限られず、正面１７ｆのスリット１９を通じてアーム部材５３を突出させた場合に、上面１７ａの全体を右側面１７ｂに向かって低くなるように傾斜させても良いし、上面１７ａの全体をケース１７の奥側（ディスペンサ本体１０側）に向かって低くなるように傾斜させても良い。要は、アーム部材５３が突出する正面１７ｆに向けて低くなるように傾斜させなければその他の方向に傾斜させても構わない。
【００３７】
また、ガイド部としては、全体が単一の平面であるものに限られず、複数の平面であるものでも良い。例えば、中央部が凸となり、かつ左側面１７ｃ及び右側面１７ｂに向かってそれぞれ低くなる２つの平面を有した屋根状のものであっても良い。さらにまた、ガイド部をとしては、平面である必要はなく、曲面であっても良い。例えば、中央部が凸となり、かつ左側面１７ｃ及び右側面１７ｂに向かって漸次それぞれ低くなる半円柱状であっても良い。
【００３８】
また、この実施の形態では、ブラケット５２が、駆動源５１の上方を覆うカバーとしての機能を有する下板５２ｄと、駆動源５１をディスペンサ本体１０に取り付けるブラケットとしての機能を有する背板５２ａ及び側板５２ｂとを一体に形成することにより、部品点数を減少した安価なもので説明した。しかし、この発明はそれに限られず、ブラケットの機能を有するものと、カバーの機能を有するものとをそれぞれ形成しても良い。
【図面の簡単な説明】
【００３９】
【図１】本発明による飲料ディスペンサを示す概略側断面図である。
【図２】図１に示した飲料ディスペンサが備える容器載置台を示す側面図である。
【図３】図１に示した飲料ディスペンサが備える容器載置台を示す平面図である。
【図４】図１に示した飲料ディスペンサが備えるケースの内部を示す側面図である。
【図５】図１に示した飲料ディスペンサが備えるケースを示す正面図である。
【図６】図１に示した飲料ディスペンサが備えるアーム部材の初期状態を示す一部断面側面図である。
【図７】図１に示した飲料ディスペンサが備えるアーム部材が上昇位置にある場合を示す一部断面側面図である。
【図８】図１に示した飲料ディスペンサが備えるブラケットを示す正面図である。
【図９】図１に示した飲料ディスペンサが備えるブラケットを示す側面図である。
【図１０】図１に示した飲料ディスペンサが備えるケースの内部を示す斜視図である。
【符号の説明】
【００４０】
１７    ケース
１７ａ    上面（ガイド部）
５１    駆動源
５２    ブラケット（カバー）
５３    アーム部材
５３ａ    鍔部
Ｇ      容器
【図１】
2006062725.tif 000003
【図２】
2006062725.tif 000004
【図３】
2006062725.tif 000005
【図４】
2006062725.tif 000006
【図５】
2006062725.tif 000007
【図６】
2006062725.tif 000008
【図７】
2006062725.tif 000009
【図８】
2006062725.tif 000010
【図９】
2006062725.tif 000011
【図１０】
2006062725.tif 000012